(57)【特許請求の範囲】
【請求項１】
異なる系統の回路を１つの電源ユニットと制御基板にて制御する画像形成装置において、
電源、グランドを、それぞれの回路系統別にフィルタを介して分離／接続する複数のスイッチ手段を備えたことを特徴とする画像形成装置。
【請求項２】
前記複数のスイッチ手段を、設置国の対応規格と耐ノイズレベルを充足させるように各々任意に分離／接続できる切替え手段をさらに備えたことを特徴とする請求項１記載の画像形成装置。
【発明の詳細な説明】
【０００１】
【発明の属する技術分野】
本発明は、ビデオ回路、モータ駆動回路、センサ検出回路等、異なる系統の回路を１つの電源ユニットと制御基板にて制御する画像形成装置に関する。
【０００２】
【従来の技術】
従来は、ノイズ対策、特に放射電磁界の不要輻射対策として、電源、グランドは、１枚の基板内においては、回路系統別に分離されているか、全て同一にしているかのどちらかに固定されていた。例えば、不要輻射の従来技術の中で、数少ない電源ラインに関する内容である添付技術にしても、ＡＣ電源入力ラインにフィルタを入れたままである。
【０００３】
【発明が解決しようとする課題】
ところで、ノイズ対策、特に放射電磁界不要輻射対策として、電源、グランドを回路系統別に分離する方法では、１つの動作モードには効果があっても、別の動作モードには必ずしも良くないことがあり、その為にわざわざ別の対策も盛り込むということも必要となっていた。従って、不要輻射対策によるコストアップは、システムが複雑になればなるほど、大きくなってきた。
【０００４】
そこで、本発明の第１の目的は、不要輻射の規格値以上に、より輻射を防止することで、利用者の人体により安全な画像形成装置を提供することである。
本発明の第２の目的は、動作モードに応じて、自動的により不要輻射しない画像形成装置を提供することである。
本発明の第３の目的は、通常、考えられない様な環境により、不要輻射以外の要因で受ける悪影響が、該切り替え機能により増長することを避けることができる画像形成装置を提供することである。
本発明の第４の目的は、国により不要輻射の適用規格が異なるため、国による不要輻射対策としてベストの状態にすることができる画像形成装置を提供することである。
本発明の第５の目的は、同一国内における例外地域等へ対処する為の保護を備えた画像形成装置を提供することである。
【０００５】
【課題を解決するための手段】
請求項１記載の発明では、異なる系統の回路を１つの電源ユニットと制御基板にて制御する画像形成装置において、電源、グランドを、それぞれの回路系統別にフィルタを介して分離／接続する複数のスイッチ手段を備えたことにより、前記第１の目的を達成する。
請求項２記載の発明では、請求項１記載の発明において、前記複数のスイッチ手段を、設置国の対応規格と耐ノイズレベルを充足させるように各々任意に分離／接続できる切替え手段をさらに備えたことにより、前記第３および第４の目的を達成する。
【０００７】
【発明の実施の形態】
以下、本発明の好適な実施の形態を図１ないし図５を参照して詳細に説明する。
図１は、本実施の形態に係るアクチュエータ制御システムを採用した多色画像形成装置の概略中央断面図である。ベルト状感光体１は回転ローラ２、３により回動可能に支持され、矢印Ａの方向に回転する。感光体１の外周部には、帯電装置４、除電ランプＬ、感光体用のクリーニングブレード１５ａが配置されている。
【０００８】
この帯電装置４の下流位置には、レーザ書き込みユニット５より発せられるレーザ光５Ｄが照射される光書き込み部が設けられている。この光書き込み部より下流の位置には、複数の現像器が切り換自在に支持された多色現像装置６が配置されている。多色現像装置６は、収容するトナーの色ごとに、イエロー現像ユニット、マゼンタ現像ユニット、シアン現像ユニットを備えている。多色現像器６の上部には黒色トナーを収容した黒現像ユニット７が備えられている。上記の現像ユニットのいずれか一つが、対応する色の現像タイミングに同期し、現像可能な位置に移動する。
【０００９】
多色現像装置６は、円周上１２０度の回転により、上記現像ユニットの選択を行う機構を有している。そして、これらの現像ユニットが稼働するときには、黒現像ユニット７は、感光体１より離間した位置に移動する。その移動は、カム４５の回転により制御される。
レーザ書き込みユニット５において、レーザ光源（図示省略）からの光は、モータ５Ａにより回転駆動されるポリゴンミラー５Ｂにより走査され、ｆθレンズ５Ｃおよびミラー５Ｆなどを経て、感光体１に至り帯電された感光体１上に、書き込み情報に対応した潜像を形成する。
感光体１上の潜像は前述の現像器で現像され、トナーによる顕像が感光体表面に形成・保持される。感光体１はその上部が、中間転写ベルト１０に接している。
【００１０】
中間転写ベルト１０は回転ローラ１１、１２に回転可能に支持されている。感光体１上のトナー像は、中間転写ベルト１０の裏側にあるバイアス手段１３により、中間転写ベルト表面に転写される。感光体１は１色毎にクリーニングされ、所定の色のトナー像が順次感光体上に形成され、その都度中間転写ベルト１０の１回転毎に中間転写ベルト１０上の同じ位置に転写されて、中間転写ベルト１０上で数色重ねられたカラートナー像が形成される。
【００１１】
この中間転写ベルト１０上で数色重ねられたカラートナー像は、紙やプラスチック等の記録媒体に転写される。
紙への転写に際しては、給紙装置（給紙カセット）１７に収納されている用紙が給紙ローラ１８、搬送ローラ対１９、レジストローラ対２０を経て中間転写ベルト１０と転写ローラ１４のニップに、紙と画像の位置が正規のものとなるよう、タイミングがとられて搬送される。
転写ローラ１４の作用で、中間転写ベルト１０上の数色のトナー像を一括して受け渡され紙は、定着装置５０に送られ、用紙上のトナー像が定着され、排紙ローラ対５１により本体フレーム９の上部の排紙スタック部５２に排出される。
【００１２】
中間転写ベルト１０には、ローラ１１の部位に中間転写ベルト用クリーニング装置１６が設けられ、クリーニングブレード１６Ａがクリーニングブレード接離用アームを介して接離自在の構成となっている。このクリーニングブレード１６Ａは、感光体１からトナー画像を受け取る工程では、中間転写ベルトから離れ、中間転写ベルトより用紙に画像を転写した後に接触するようになっていて、用紙に画像を転写した後の残留トナーをかきとる。
クリーニングブレード１６Ａはすでに記したように、感光体１用と中間転写ベルト１０用がある。これらブレードがかきとった廃トナーは、回収容器１５に収納し、その容器を適宜交換する。中間転写ベルト１０用クリーニング装置１６の内部に設けたオーガ１６Ｂが、プレードがかきとった廃トナーを搬送し、図示していない搬送手段で回収容器１５に送るようになっている。
【００１３】
図中３１はユニット化されたプロセスカートリッジで、感光体１、帯電装置４、中間転写ベルト１０、クリーニング装置１６、用紙搬送路を形成する搬送ガイドなどを一体に組み込み、寿命到来時に交換できるように構成されている。
プロセスカートリッジ３１の交換の他に、多色現像器６、黒現像器７なども寿命到来時に交換するが、その交換性やジャムした用紙の処理を容易にするため、本体の一部の前フレーム８は、支軸９Ａを回転中心として、回動、開放が可能な構造になっている。
図の左側には、電装・制御装置Ｅが収納されている。その上方には、ファンＦが備えられており、機内の温度過昇防止のために排風する。図の右側には、比較的小規模の別の給紙装置ＭＦが備えられている。
【００１４】
図２は、本実施の形態に係るアクチュエータ制御システムを含む多色画像形成装置のシステムブロック図である。
この図２において、１０１は本多色画像形成装置のシステム制御を行うＣＰＵ（中央処理装置）であり、ＣＰＵ１０１がＲＯＭ（リード・オンリ・メモリ）１０２に格納されているプログラムに従って、ＲＡＭ（ランダム・アクセス・メモリ）１０３をワークエリアに使用しつつこの多色画像形成装置を統括している。
【００１５】
１０４は給紙・排紙等のメカ動作を行う為の各種アクチュエータであり、それらはドライバ回路１０６によって駆動される。また、Ｉ／Ｏ制御部１０７は、紙サイズ検知やジャム検知、色の重ね合わせを行う基準になるマーク検知等を行う各種センサ１０５の入力及びドライバ回路１０６の出力制御信号をＣＰＵ１０１の命令に基づいて制御を行う。１０８はパソコン等からきた画像出力情報等を翻訳するプリンタコントローラ、１０９はプリンタコントローラ１０８とＣＰＵ１０１とのインターフェースであるＩ／Ｆ回路、１１０は書き込みユニット、１１２はオペレータが各種設定等を行う為の操作パネル、１１１は操作パネル１１２とＣＰＵ１０１のインターフェースであるＩ／Ｆ回路、１１３はパワーサプライユニットである。点線で囲んだ部分は、エンジン回路である。
【００１６】
図３は、通常の多色画像形成装置のエンジン回路の電源／グランド系統ブロック図である。
パワーサプライユニット１１３からエンジンボードに対しては＋５Ｖ−ＣＯＭ１、＋２４Ｖ−ＣＯＭ３が供給されており、＋２４Ｖ−ＣＯＭ３はモーター、クラッチ、ソレノイド等各種アクチュエータおよびそれらのドライバ回路に供給する電源−グランドになっている。また、＋５Ｖ−ＣＯＭ１は各種センサ、アクチュエータ１０４に供給する電源−グランドであり、＋５Ｖ−ＣＯＭ１をコモンモードフィルタに通して＋５ＶＶ−ＣＯＭ２として、ＣＰＵ１０１、ＲＯＭ１０２、ＲＡＭ１０３、書き込みユニット１１０等ロジック系の電源−グランドとして供給されるようになっている。
【００１７】
図４は、本実施の形態に係る多色画像形成装置のエンジン回路の電源／グランド系統図である。この図４において、ＲＹ１は＋５Ｖ／ＣＯＭ１とコモンモードフィルタで分離している＋５Ｗ／ＣＯＭ２と＋５Ｖ／ＣＯＭとの接続／分離切り替えを行うためのリレー、ＲＹ２はＣＯＭ３とＦＧとの接続／分離切り替えを行うためのリレー、ＲＹ３はＣＯＭ１とＦＧとの接続／分離切り替えを行うためのリレー、ＲＹ４はＣＯＭ２とＦＧとの接続／分離切り替えを行うためのリレーである。
【００１８】
第１の実施の形態では、これらを任意に切り替えることで、ノイズに、特に放射電磁界の輻射抑制対策として、より融通の利くシステム構成としている。特にコストを安くしたい場合は、リレーを用いずに、ジャンパー等でショート／オープンできるようにしておけばよい。
第２の実施の形態では、動作モードに応じてノイズ、特に放射電磁界の輻射レベルが異なる場合に、ＲＹＩ〜ＲＹ４を任意に切り替えることで、よりノイズの出ないシステム構成になる。
第３の実施の形態では、ＲＹＩ〜ＲＹ４の切り替えを、さらに設置国の規格に応じて変更することを可能にしている。
【００１９】
図５、図６は、本実施の形態の処理の手順を示したフローチャートである。図５において、まず、カントリーコード設定モードに入り（ステップ１０；Ｙ、ステップ１１）、設置国が日本（ステップ１２；Ｙ、ステップ１３）、北米（ステップ１４；Ｙ、ステップ１５）、欧州・アジア（ステップ１６；Ｙ、ステップ１７）かを選択することで、そのシステムの設置国の対応規格を満足させ、その動作モード状態におけるベストの耐ノイズレベルになるようにＲＹ１〜４を切り替える。
【００２０】
また、その国特有の規格・条件がある場合には（ステップ１０；Ｎ）、任意設定モードにして（ステップ１８）、それぞれのモードにおける任意の設定を行うことができるようにしてある（ステップ１９〜ステップ２１）。もし、カントリーコードによる切り替え機能を使いたくない場合には、無効設定にし、任意に設定モードで任意に設定できる（ステップ１８）。
また、動作モードによる切り替え機能を使いたくない場合には（ステップ２２；Ｎ）、無効設定にして、Ｓｔａｎｄ−ｂｙモード状態が保持されることになる（ステップ２４）。一方、動作モードによる切り替え機能を有効にする場合には（ステップ２２；Ｙ）、それぞれの動作モードの設定に応じて、ＲＹ１〜４が切り替わることになる（ステップ２３）。
【００２１】
【発明の効果】
請求項１記載の発明では、複数のリレーを各々任意に分離／接続するので、ノイズ除去用コモンモードフィルタの挿入の有無を任意に設定可能で、、環境に応じて融通の効く安定した動作と電波障害を出さない画像形成装置を提供することができる。
請求項２記載の発明では、設置国の対応規格と耐ノイズレベルを充足させるように各々任意に分離／接続できる切替え手段を備えたので、設置国の対応規格に応じて且つ電波障害を出さない画像形成装置を提供することができる。
【図面の簡単な説明】
【図１】本発明の実施の形態に係るアクチュエータ制御システムを採用した多色画像形成装置の概略中央断面図である。
【図２】本発明の実施の形態に係るアクチュエータ制御システムを含む多色画像形成装置のシステムブロック図である。
【図３】多色画像形成装置のエンジン回路の電源／グランド系統ブロック図である。
【図４】本実施の形態に係る多色画像形成装置のエンジン回路の電源／グランド系統図である。
【図５】本実施の形態の処理の手順を示したフローチャートである。
【図６】本実施の形態の処理の手順を示したフローチャートであり、図５の続きである。
【符号の説明】
１  感光体
２，３  ローラ（感光体の支軸）
４  帯電装置
５  レーザ書き込みユニット
６  多色現像器（カラー現像器）
７  黒現像ユニット
１０  中間転写ベルト
１４  転写ローラ
１７  給紙装置（給紙カセット）
１８  給紙ローラ
１９  搬送ローラ対
２０  レジストローラ対
５０  定着装置
Ｌ  除電ランプ
【図１】
0003574737.tif 000002
【図２】
0003574737.tif 000003
【図３】
0003574737.tif 000004
【図４】
0003574737.tif 000005
【図５】
0003574737.tif 000006
【図６】
0003574737.tif 000007